(57)【要約】【課題】装置の使用者の接触の意図が少ないと判断されるソフトキーが示すオブジェクトの入力を行わない。【解決手段】複数のソフトキー（以後、特定ソフトキーと称する。）への接触が同時に検出された場合、及び／又は、特定ソフトキー間への接触が検出された場合、特定ソフトキーを除くソフトキーの少なくとも一部を表示しない、又は、グレイアウトして表示することによって、特定ソフトキーへの接触を促す表示に変更し（ステップＳ２０２）、特定ソフトキーへの接触が検出されると（ステップＳ２０３の「特定ソフトキー」）、そのソフトキーによる入力処理（ステップＳ２０４）の後、変更された表示を復旧する（ステップＳ２０５）。【選択図】  図５
2011107804.tif 000002
【特許請求の範囲】
【請求項１】
タッチパネルにオブジェクトを示すソフトキーを表示し、そのソフトキーへの接触を検出して、そのソフトキーが示すオブジェクトが入力されたと判断するオブジェクト入力処理手段を有し、
そのオブジェクト入力処理手段は、複数の前記ソフトキーへの接触が同時に検出された後、及び／又は、複数の前記ソフトキーの間への接触が検出された後、それらの複数のソフトキーを除く少なくとも一部の前記ソフトキーが示すオブジェクトが入力されたと判断しない
ことを特徴とする情報処理装置。
【請求項２】
前記オブジェクト入力処理手段は、複数の前記ソフトキーへの接触が同時に検出された後、及び／又は、複数の前記ソフトキーの間への接触が検出された後、前記一部のソフトキーを表示させない
ことを特徴とする請求項１に記載の情報処理装置。
【請求項３】
前記オブジェクト入力処理手段は、複数の前記ソフトキーへの接触が同時に検出された後、及び／又は、複数の前記ソフトキーの間への接触が検出された後、前記一部のソフトキーを、輝度を下げて表示させ、及び／又は、彩度を下げて表示させる
ことを特徴とする請求項１に記載の情報処理装置。
【請求項４】
前記タッチパネルは、有機ＥＬディスプレーと接触位置検出手段とからなる
ことを特徴とする請求項３に記載の情報処理装置。
【請求項５】
前記オブジェクト入力処理手段は、複数の前記ソフトキーへの接触が同時に検出された後、及び／又は、複数の前記ソフトキーの間への接触が検出された後、所定のソフト機能キーへの接触が検出された場合、前記一部のソフトキーの表示を復旧させ、その表示が復旧されたソフトキーへの接触が検出されると、その接触が検出されたソフトキーが示すオブジェクトが入力されたと判断する
ことを特徴とする請求項２又は請求項３に記載の情報処理装置。
【発明の詳細な説明】
【技術分野】
【０００１】
本発明は情報処理装置に係り、特に、タッチパネルによるユーザインターフェースに関する。
【背景技術】
【０００２】
移動通信装置などの小型の情報処理装置がタッチパネルを備え、タッチパネルに表示された複数のソフトキーの中の１つへの指やスタイラスペン（以後、指とスタイラスペンとを、指等と称する。）の接触を入力操作とするユーザインターフェースが知られている。なお、ソフトキーは、入力操作に対する装置の動作の種類に依存して、アイコン、ボタン、メニュー項目などと呼ばれることもあるが、これらを含んでソフトキーと称する。
【０００３】
ここで、小型の情報処理装置のタッチパネルは必ずしも大きくなく、そこに表示される各ソフトキーは、大きく表示されるとは限らない。そこで、装置の使用者は、あるソフトキーに指等を触れようとした際、誤って、そのソフトキーと、そのソフトキーに隣接するソフトキーとの両方に、また、それらのソフトキーの中間の位置に触れる可能性が皆無ではない。
【０００４】
そこで、例えば、複数のソフトキーへの接触が同時に発生した場合、それらのソフトキーを目立つ形態で表示させることが知られている（例えば、特許文献１参照。）。
【先行技術文献】
【特許文献】
【０００５】
【特許文献１】特開２００５−４４０２６号公報（第５頁、図５、図７）
【発明の概要】
【発明が解決しようとする課題】
【０００６】
しかしながら、上述した特許文献１に開示されている方法では、装置の使用者は、目立つ形態で表示されたことが何を意味するのか、直ちに理解することができない問題点があった。
【０００７】
本発明は上記問題点を解決するためになされたもので、装置の使用者の接触の意図が少ないと判断されるソフトキーが示すオブジェクトの入力を行わない情報処理装置を提供することを目的とする。
【課題を解決するための手段】
【０００８】
上記目的を達成するために、本発明の情報処理装置は、タッチパネルにオブジェクトを示すソフトキーを表示し、そのソフトキーへの接触を検出して、そのソフトキーが示すオブジェクトが入力されたと判断するオブジェクト入力処理手段を有し、そのオブジェクト入力処理手段は、複数の前記ソフトキーへの接触が同時に検出された後、及び／又は、複数の前記ソフトキーの間への接触が検出された後、それらの複数のソフトキーを除く少なくとも一部の前記ソフトキーが示すオブジェクトが入力されたと判断しないことを特徴とする。
【発明の効果】
【０００９】
本発明によれば、装置の使用者の接触の意図が少ないと判断されるソフトキーが示すオブジェクトの入力を行わないことができる。
【図面の簡単な説明】
【００１０】
【図１】本発明の実施形態に係る移動通信装置の構成を示すブロック図。
【図２】本発明の実施形態に係る暗証番号変更機能による暗証番号更新の動作のフローチャート。
【図３】本発明の実施形態に係る暗証番号変更機能が第１のソフトキー配置によって第１の暗証番号を入力する際の表示部の表示の一例。
【図４】本発明の実施形態に係る暗証番号変更機能が第２のソフトキー配置によって第２の暗証番号を入力する際の表示部の表示の一例。
【図５】本発明の実施形態に係るタッチパネル機能による特定ソフトキーへの接触を促す動作のフローチャート。
【図６】本発明の実施形態に係るタッチパネル機能が特定ソフトキーへの接触を促す際の表示部の表示の第１の例。
【図７】本発明の実施形態に係るタッチパネル機能が特定ソフトキーへの接触を促す際の表示部の表示の第２の例。
【発明を実施するための形態】
【００１１】
以下に、本発明の実施形態に係る情報処理装置が適用された移動通信装置の実施の形態を、図面を参照して説明する。
【００１２】
図１は、本発明の実施形態に係る移動通信装置の構成を示すブロック図である。この移動通信装置は、装置全体の制御を行う制御部１１と、通信部１２と、移動通信網の基地局（図示せず）との間で電波の送受信を行うアンテナ１２ａと、送受信部１３と、通話部１４と、受話に用いられるスピーカ１４ａと、送話に用いられるマイクロフォン１４ｂと、表示部１５と、入力部１６と、タッチパッド１７とからなる。タッチパッド１７は、表示部１５の表示画面を覆って設置され、表示部１５と共に、タッチパネルを構成する。
【００１３】
なお、プログラムを実行することで実現される本発明に関する機能として、制御部１１には、タッチパネル機能１１−１と、キーロック機能１１−２と、認証機能１１−３と、暗証番号変更機能１１−４とが含まれる。
【００１４】
上記のように構成された、本発明の実施形態に係る移動通信装置の各部の動作を、図１を参照して説明する。
【００１５】
通信部１２は、基地局から送信され、アンテナ１２ａが受信した高周波信号を送受信部１３へ出力し、また、送受信部１３から出力される高周波信号を、アンテナ１２ａを介して基地局に送信する。
【００１６】
送受信部１３は、通信部１２からの高周波信号を増幅、周波数変換及び復調し、それによって得られたディジタル音声信号を通話部１４へ、制御信号を制御部１１へ送る。更には、通話部１４から出力されるディジタル音声信号、及び制御部１１から出力される制御信号を変調、周波数変換及び増幅し、高周波信号を得て、それを通信部１２に送る。
【００１７】
通話部１４は、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００１８】
表示部１５は、使用者に操作を促す表示や、使用者が操作した内容の表示や、装置の動作状態の表示等に用いられる有機ＥＬディスプレー、又は、バックライト付きのＬＣＤであり、制御部１１に制御されることで、文字、数字、更に、アイコンを含む画像データを表示し、表示されるデータは、入力部１６からの入力操作や着信信号に応答して制御部１１からの指示を受けることで切換わる。
【００１９】
ここで、表示されるデータの一部又は全部はソフトキーであり、タッチパッド１７のそのソフトキーが表示された位置への指等の接触が検出されると、後述するように、制御部１１は、そのソフトキーに対応付けられたキーが押下されたように動作する。なお、タッチパッド１７は、表示部１５の表示画面を覆って設置されているので、以後、指等が触れたタッチパッド１７の位置と、指等が触れたソフトキーが表示された表示画面の位置とを区別せずに用い、簡明な説明をする。
【００２０】
入力部１６は、少なくとも装置の電源投入を指示する機能キーを有し、そのキーの他に、通信相手の電話番号等を指定し、また、トグル式の入力方式によってひらがな文字、アルファベット文字及び記号文字を入力するための数字キーと、カーソル移動や、表示のスクロール指示を示す矢印キーや、決定キー、着呼キー、終話キーを含む複数の機能キーとを含んでも良い。そして、入力部１６のキーが押下されると、そのキーの識別子を制御部１１に通知する。
【００２１】
タッチパッド１７は、表示部１５の表示画面を覆って設置された、透明又は半透明の静電式の、又は、感圧式の膜状センサーであって、指等の接触を検出して、接触した位置の座標を制御部１１に通知する。なお、指等が複数の位置に触れた場合、複数の座標が通知される。又は、触れた位置の座標の平均値が通知される。ここで、タッチパッド１７が指等との距離を検出可能な場合、接触とは、距離が所定の距離閾値未満となったことを含む。
【００２２】
タッチパネル機能１１−１は、表示部１５に表示されるデータの中で、いずれの領域がソフトキーであるかと、そのソフトキーに対応付けられたキーの識別子とを記憶する。ここで、このキーは、入力部１６が備えるキーであっても良く、なくとも良い。そして、タッチパッド１７から指等が接触したとの通知を受信すると、その接触された位置に表示されていたデータがソフトキーであるか否かを判断する。
【００２３】
そして、ソフトキーである場合、タッチパネル機能１１−１は、制御部１１にそのソフトキーに対応付けられたキーの識別子が通知された場合と同じ動作をさせる。そこで、以後、入力とは、入力部１６のキー操作による入力であるか、タッチパネル機能１１−１を介した入力であるかを問わない。
【００２４】
また、タッチパネル機能１１−１は、指等が複数のソフトキー領域に接触したとの通知を受信した場合、それらの領域のいずれかへの接触を使用者に促す。指等が複数のソフトキー領域の中間に接触したとの通知を受信した場合、同様に、それらの領域のいずれかへの接触を使用者に促す。
【００２５】
キーロック機能１１−２は、所定の場合、装置にキーロックを施した後に認証機能１１−３に認証を行わせる。ここで、所定の場合とは、以下の１つ、又は、複数の場合である。第１に、所定のロックキーの入力操作がされた場合である。第２に、所定時間に渡って、入力が行われない場合である。第３に、装置が開閉自在の装置であって、装置が閉状態に置かれた場合である。
【００２６】
なお、装置にキーロックを施した場合、キーロック機能１１−２は、認証機能１１−３による認証用以外の入力動作を行わせない。そして、装置の使用者の認証の成功の通知によって、そのキーロックを解除する。ただし、装置にキーロックを施した場合、電源の切断、着呼、特定の電話番号、例えば、警察への発呼など、限られた目的のための入力動作を行わせる。
【００２７】
認証機能１１−３は、装置にキーロックが施されている際に入力があった場合、及び、装置の各部からの起動があった場合、動作を開始し、装置の使用者の認証を行なう。即ち、まず、表示部１５に１〜９及び０からなるソフトキーを表示させる。そして、タッチパネル機能１１−１を介して、それらのソフトキーによって４桁の数字からなる暗証番号を入力させる。その暗証番号と、制御部１１内に記憶された暗証番号とが等しい場合、認証の成功を通知する。等しくない場合、認証の失敗を通知する。
【００２８】
暗証番号変更機能１１−４は、制御部１１内に記憶された暗証番号を更新する。即ち、まず、認証機能１１−３を起動して、装置の使用者の認証をさせる。認証の成功の後、表示部１５に１〜９及び０からなるソフトキーを表示させて、暗証番号の１回目の入力をさせる。そして、再び表示部１５に１〜９及び０からなるソフトキーを表示させて、暗証番号の２回目の入力をさせる。１回目に入力された暗証番号と、２回目に入力された暗証番号とが等しい場合、暗証番号変更機能１１−４は、制御部１１内に記憶された暗証番号を、その等しい暗証番号に更新記憶する。
【００２９】
次に、上記構成の移動通信装置における、タッチパネルを介した誤操作を防止するユーザインターフェースを説明する。まず、図２に示すフローチャートを参照して、暗証番号変更機能１１−４による暗証番号更新の動作を説明する。
【００３０】
暗証番号変更機能１１−４は、使用者の所定の入力によって暗証番号更新の動作を開始し（ステップＳ１０１）、認証機能１１−３に装置の使用者の認証をさせる（ステップＳ１０２）。そして、第１のソフトキー配置によって第１の暗証番号を入力し（ステップＳ１０３）、続いて、第２のソフトキー配置によって第２の暗証番号を入力し（ステップＳ１０４）、第１の暗証番号と、第２の暗証番号とが等しいか否かを調べる（ステップＳ１０５）。
【００３１】
これらの暗証番号が等しい場合、暗証番号変更機能１１−４は、その暗証番号を制御部１１内に更新記憶して（ステップＳ１０６）、暗証番号更新の動作を終了する（ステップＳ１０７）。一方、異なる場合、直ちに暗証番号更新の動作を終了する（ステップＳ１０７）。なお、制御部１１内に暗証番号が記憶されていない場合、ステップＳ１０２の認証の動作を行わない。そして、ステップＳ１０６では、暗証番号を新規に記憶する（図示せず）。
【００３２】
図３の例示を参照して、ステップＳ１０３の第１のソフトキー配置によって第１の暗証番号を入力する際の表示部１５の表示を説明する。この表示は、上部に表示される入力文字表示１５ａと、中央部に表示されるソフトテンキー１５ｂと、下部に左から右に表示される第１のソフト機能キー１５ｃ、・・・、第ｎのソフト機能キー１５ｄとからなる。ここで、ｎは、２以上の自然数である。
【００３３】
入力文字表示１５ａには、暗証番号の１文字が入力される度に、「＊」なる文字が追加表示される。入力された文字が表示されない理由は、その文字が装置の使用者以外の者に知られることを防ぐためである。
【００３４】
第１のソフトキー配置におけるソフトテンキー１５ｂは、１〜９及び０の数字が、電話機のダイヤルキーの配列と等しく、４行３列に配列されている。なお、４行目には、中央に「０」が配列されている。この配列は、国際電気通信連合（ＩＴＵ、International Telecommunication Union）によって定められ、良く知られているので、容易に意図する数字の入力が可能である。
【００３５】
第１のソフトキー配置におけるソフトテンキー１５ｂは、このように、良く知られた配列であれば良く、上記配列に限らず、国際標準化機構（ＩＳＯ、International Organization for Standardization）によって定められた電卓の数字キーの配列や、パソコンのテンキーの配列でも良い。また、１〜９及び０の数字が、この順で一列又は複数列に配列されていても良い。
【００３６】
第１のソフト機能キー１５ｃ、・・・、第ｎのソフト機能キー１５ｄは、所定の機能の入力に用いられるソフトキーである。第１のソフト機能キー１５ｃには、「戻る」と表示され、暗証番号変更機能１１−４の動作を直ちに終了させる機能の入力に用いられる。また、第ｎのソフト機能キー１５ｄには、「１文字取消」と表示され、暗証番号変更機能１１−４が入力した暗証番号の中で、最後に入力した文字を取り消す機能の入力に用いられる（いずれも、図２のフローチャートには図示せず）。
【００３７】
図４の例示を参照して、ステップＳ１０４の第２のソフトキー配置によって第２の暗証番号を入力する際の表示部１５の表示を説明する。この表示は、図３を参照して説明した第１のソフトキー配置によって入力する際の表示と比較して、ソフトテンキー１５ｂが異なる。そこで、第２のソフトキー配置におけるソフトテンキー１５ｂを説明する。
【００３８】
第２のソフトキー配置におけるソフトテンキー１５ｂは、第１のソフトキー配置におけるソフトテンキー１５ｂと同様に、１〜９及び０の数字が、４行３列に配列され、４行目には、中央に１文字が配列されている。しかし、各数字の位置は、第１のソフトキー配置におけるソフトテンキー１５ｂと異なり、例えば、乱数に基づいて決定される。
【００３９】
なお、この配置におけるソフトテンキー１５ｂは、４行３列に配列されると限るものではない。第２のソフトキー配置におけるソフトテンキー１５ｂは、第１のソフトキー配置におけるソフトテンキー１５ｂと比較して、少なくとも一部の数字が表示される位置が異なることが必須である。
【００４０】
これによって、第１のソフトキー配置におけるソフトテンキー１５ｂにおいてと同様にソフトテンキー１５ｂの誤った位置、例えば、入力を意図する数字の右に表示された数字の位置に触れても、第２のソフトキー配置におけるソフトテンキー１５ｂによって入力された第２の暗証番号は、第１のソフトキー配置におけるソフトテンキー１５ｂによって入力された第１の暗証番号と等しくなる可能性は小さい。そこで、使用者が意図しない、即ち、使用者の記憶にない暗証番号が更新記憶される恐れは無視し得る。
【００４１】
以上の説明で、暗証番号変更機能１１−４は、更新記憶される、新しい暗証番号の入力を２回に渡って行ったが、これに限るものではない。２回以上の任意の回数に渡って入力を行い、等しい暗証番号が２回入力された場合、その暗証番号を制御部１１内に更新記憶しても良い。なお、２回目以降の入力の際、ソフトテンキー１５ｂ内に表示される数字の配置は、前回の入力の際の配置とは異なる配置とする。
【００４２】
次に、図５に示すフローチャートを参照して、タッチパネル機能１１−１による限られたソフトキーへの接触を促す動作を説明する。
【００４３】
タッチパネル機能１１−１は、指等が複数のソフトキー領域に接触したとの通知を受信した場合、及び、指等が複数のソフトキー領域の中間に接触したとの通知を受信した場合、装置の使用者が接触を意図していたと判断される、限られたソフトキーへの接触を促す動作を開始する（ステップＳ２０１）。そして、上記複数のソフトキー（以後、これらを特定ソフトキーと称する。）への接触を促す表示を表示部１５にさせる（ステップＳ２０２）。なお、特定ソフトキーの数の最大は、例えば、ソフトキーの形が四角形であり、碁盤格子状に配置された場合、４であるが、ソフトキーの形に依存して異なる。
【００４４】
ここで、タッチパネル機能１１−１がこの限られたソフトキーへの接触を促す動作を開始した際に、表示部１５には、図３に示す表示がされており、かつ、特定ソフトキーは、「１」及び「２」である場合を例にとり、特定ソフトキーへの接触を促す表示を説明する。図６は、特定ソフトキーへの接触を促す第１の表示であって、図３に示す表示と比較して、ソフトテンキー１５ｂが表示されず、かつ、第１の変形ソフトテンキー１５ｅが表示されている。また、第ｎのソフト機能キー１５ｄには、「１文字取消」に代えて、「全文字入力」と表示されている。
【００４５】
第１の変形ソフトテンキー１５ｅは、特定ソフトキーのそれぞれが、ソフトテンキー１５ｂの一部として表示されていた場合より大きく、かつ、特定ソフトキーの間に間隔をおいて表示されている。この表示によって、ソフトテンキー１５ｂに含まれていたが、第１の変形ソフトテンキー１５ｅに含まれていない「３」〜「９」及び「０」のソフトキーへの接触ができないのであって、当然に、それらのソフトキーに対応する数字の入力がされることはなく、特定ソフトキーへの接触を促す効果は大きい。
【００４６】
図７は、特定ソフトキーへの接触を促す第２の表示であって、図３に示す表示と比較して、ソフトテンキー１５ｂが表示されず、かつ、第２の変形ソフトテンキー１５ｆが表示されている。第２の変形ソフトテンキー１５ｆは、ソフトテンキー１５ｂと同じ大きさで同じ内容が表示されているものの、特定ソフトキーのみがソフトテンキー１５ｂと同じ表示形態で、その他の部分は、グレイアウトされて表示されている。
【００４７】
更に、第２の変形ソフトテンキー１５ｆ以外の表示で、第１のソフト機能キー１５ｃ、・・・、第ｎのソフト機能キー１５ｄは図３に示す表示と同じ表示形態で、その他の部分はグレイアウトされて表示されている。また、第ｎのソフト機能キー１５ｄには、「１文字取消」に代えて、「全文字入力」と表示されている。
【００４８】
ここで、グレイアウトとは、輝度を下げた表示、及び／又は、彩度を下げた表示である。言い換えると、より暗い表示、及び／又は、色彩がより乏しい表示である。なお、グレイアウトは、灰色の表示、更には、何ら表示しないことを含む。なお、図７では、ハッチングによってグレイアウトされた表示を示す。
【００４９】
ここで、グレイアウトされていない特定ソフトキー及び第１のソフト機能キー１５ｃ、・・・、第ｎのソフト機能キー１５ｄがソフトキーであり、その他の部分は、ソフトキーではない。これによって、如何なる入力が可能であるか、使用者には一目瞭然である。即ち、グレイアウトされた表示は、沈んだ印象を与えることにより、役割（この場合、入力。）を果たさないことが一見して明らかとなる。
【００５０】
なお、図３に示す表示ではソフトキーであった部分で、図７では、ソフトキーでない部分に触れたとしても、その接触は、入力として扱われることはなく、使用者は、グレイアウトされた表示は役割を果たさないことを、容易に理解することができる。
【００５１】
更に、グレイアウトされた表示は、表示部１５の消費電力の削減と、その劣化の防止に効果がある。ここで、劣化とは、輝度の低下と、彩度の低下と、焼き付きと呼ばれる表示画面の位置に依存した発光色のむらとの一部又は全部である。バックライトなどの光源を必要とせず、自発光構造である有機ＥＬディスプレーなどの場合、これらの効果は顕著である。
【００５２】
また、バックライト付きのＬＣＤであっても、バックライトの一部の輝度を低下させてグレイアウト表示をさせることにより、消費電力の削減と、バックライト劣化の防止に効果がある。
【００５３】
図５を参照したタッチパネル機能１１−１の動作の説明に戻る。ステップＳ２０２で、特定ソフトキーへの接触を促す表示を表示部１５にさせた後、タッチパネル機能１１−１は、接触されたソフトキーを調べる（ステップＳ２０３）。そのソフトキーが特定ソフトキーである場合、そのソフトキーによって識別される入力処理を行い（ステップＳ２０４）、表示部１５の表示を特定ソフトキーへの接触を促す表示からステップＳ２０１で動作を開始される前の表示に復旧させ（ステップＳ２０５）、限られたソフトキーへの接触を促す動作を終了する（ステップＳ２０６）。
【００５４】
一方、ステップＳ２０３で接触されたソフトキーが第１のソフト機能キー１５ｃ、・・・、第ｎのソフト機能キー１５ｄのいずれかである場合、タッチパネル機能１１−１は、表示部１５の表示を特定ソフトキーへの接触を促す表示からステップＳ２０１で動作を開始される前の表示に復旧させ（ステップＳ２０５）、限られたソフトキーへの接触を促す動作を終了する（ステップＳ２０６）。
【００５５】
なお、接触されたソフト機能キー（第１のソフト機能キー１５ｃ、・・・、第ｎのソフト機能キー１５ｄのいずれか。）に対応する動作は、限られたソフトキーへの接触を促す動作終了の後で装置の各部によって行われるが、第ｎのソフト機能キー１５ｄへの接触が行われた場合、装置の各部は、何ら処理を行わない。即ち、図６又は図７に示す、特定ソフトキーへの接触を促す表示がされていて、装置の使用者は、「１」及び「２」以外のソフトキーへの接触を意図する場合、第ｎのソフト機能キー１５ｄに指等を接触させ、タッチパネル機能１１−１は、図３に示す、全文字が入力可能な表示に復旧させ、引き続き、暗証番号変更機能１１−４の動作を続けさせる。
【００５６】
以上の説明は、数字の列である暗証番号の入力を例にとったが、本発明は、これ以外の任意のオブジェクトの入力に適用可能である。例えば、アルファベット文字と数字の列であるパスワードの入力の際に用いることができる。この場合、ステップＳ１０３で表示される第１のソフトキー配置におけるアルファベット文字と数字に対応するソフトキーの配置は周知であれば良く、例えば、日本工業規格に定められたキーボードにおけるアルファベット文字キーの配列とする。また、アルファベット文字をＡから始まり、Ｚに終わる順に、数字を１〜９及び０の順に、１行、又は、複数行に配置した配列とする。
【００５７】
また、パスワードがかな文字を含む場合、第１のソフトキー配置におけるかな文字に対応するソフトキーの配置は、日本工業規格に定められたキーボードにおけるかな文字キーの配列とする。又は、５０音表の配列とする。更に、本発明は、ソフトキーであるメニュー項目からなるメニューが表示され、そのメニュー中のメニュー項目の選択指示の入力に用いることができる。この場合、ステップＳ１０３で表示される第１のソフトキー配置は、常に同じである。また、メニュー項目に番号が付されている場合、その番号順とする。また、本発明は、ソフトキーであるアイコンを選択して、そのアイコンによって示されるアプリケーションの実行指示の入力に用いることができる。
【００５８】
また、同じ入力を繰り返す処理は、新しい暗証番号の入力の際に行なわれるとして説明したが、この場合に限るものではない。新しいパスワードの入力の際に用いることができる。また、例えば、誤った項目の選択によって大きな問題が生じる場合、例えば、項目の１つは装置の初期化の指示である場合、その項目を複数回に渡って選択することによって、装置の初期化が行われるようにするために用いることができる。
【００５９】
以上の説明は、本発明を移動通信装置に適用した形態を例にとって行ったが、これに限るものではない。本発明は、固定通信装置や、パソコンを含む、あらゆる情報処理装置に適用することが当然に可能である。本発明は以上の構成に限定されるものではなく、種々の変形が可能である。
【符号の説明】
【００６０】
１１  制御部
１１−１  タッチパネル機能
１１−２  キーロック機能
１１−３  認証機能
１１−４  暗証番号変更機能
１５  表示部
１５ａ  入力文字表示
１５ｂ  ソフトテンキー
１５ｃ  第１のソフト機能キー
１５ｄ  第ｎのソフト機能キー
１５ｅ  第１の変形ソフトテンキー
１５ｆ  第２の変形ソフトテンキー
１７  タッチパッド
【図１】
2011107804.tif 000003
【図２】
2011107804.tif 000004
【図３】
2011107804.tif 000005
【図４】
2011107804.tif 000006
【図５】
2011107804.tif 000007
【図６】
2011107804.tif 000008
【図７】
2011107804.tif 000009